(57)【要約】【課題】プロジェクターの使用環境下に応じた巻き取り式フィルターの制御を行い、使用環境が変化しても、種類の異なる巻き取り式フィルターを効率よく活用でき、プロジェクター内部を一定のクリーンな状態に保つことを可能とする巻き取り式フィルターを有するプロジェクターを提供することを目的とする。【解決手段】フィルター検出部４からの巻き取り式フィルター１の種類の情報と目詰まり検出部５からの目詰まり情報により、制御部２で、巻き取り式フィルター１の種類に応じたフィルター巻き取り時間をセットする。巻き取り時間とは、巻き取り式フィルター１を巻き取る時間の間隔である。このセットされた時間経過毎に、制御部２から、駆動部３にフィルター巻き取り命令を送信する。そのフィルター巻き取り命令により、駆動部３は、巻き取り式フィルター１を一定量分巻き取る。【選択図】図１
2008262035.tif 000002
【特許請求の範囲】
【請求項１】
吸入した外気に含まれる埃を取るための巻き取り式フィルターと、
前記巻き取り式フィルターの種類を検出するフィルター検出部と、
前記フィルター検出部の出力に応じて前記巻き取り式フィルターを巻き取る時間を制御する制御部と、
前記制御部の出力に応じて前記巻き取り式フィルターを動作させる駆動部とから成り、
前記制御部は、前記巻き取り式フィルターの種類に基づき、前記巻き取り式フィルターを巻き取る時間およびスピードを制御することを特徴とする巻き取り式フィルターを有するプロジェクター。
【請求項２】
吸入した外気に含まれる埃を取るための巻き取り式フィルターと、
前記巻き取り式フィルターの種類を検出するフィルター検出部と、
前記フィルター検出部及び前記目詰まり検出部の出力に応じて前記巻き取り式フィルターを巻き取る時間を制御する制御部と、
前記制御部の出力に応じて前記巻き取り式フィルターを動作させる駆動部とから成り、
前記制御部は、前記巻き取り式フィルターの種類および前記巻き取り式フィルターの目詰まり具合から周囲環境の埃の量を推測し、前記巻き取り式フィルターを巻き取る時間およびスピードを制御することを特徴とする巻き取り式フィルターを有するプロジェクター。
【請求項３】
吸入した外気に含まれる埃を取るための巻き取り式フィルターと、
プロジェクターが設置される地域情報を格納する地域情報記憶部と、
前記地域情報記憶部の情報に応じて前記巻き取り式フィルターを巻き取る時間を制御する制御部と、
前記制御部の出力に応じて前記巻き取り式フィルターを動作させる駆動部とから成り、
前記制御部は、プロジェクターが設置される地域により、前記巻き取り式フィルターを巻き取る時間およびスピードを制御することを特徴とする巻き取り式フィルターを有するプロジェクター。
【請求項４】
吸入した外気に含まれる埃を取るための巻き取り式フィルターと、
前記巻き取り式フィルターの種類を検出するフィルター検出部と、
プロジェクターが設置される地域情報を格納する地域情報記憶部と、
前記フィルター検出部の出力及び前記地域情報記憶部からの情報に応じて前記巻き取り式フィルターを巻き取る時間を制御する制御部と、
前記制御部の出力に応じて前記巻き取り式フィルターを動作させる駆動部とから成り、
前記制御部は、前記巻き取り式フィルターの種類及びプロジェクターが設置される地域情報により、前記巻き取り式フィルターを巻き取る時間およびスピードを制御することを特徴とする巻き取り式フィルターを有するプロジェクター。
【請求項５】
吸入した外気に含まれる埃を取るための巻き取り式フィルターと、
前記巻き取り式フィルターの目詰まりを検出する目詰まり検出部と
プロジェクターが設置される地域情報を格納する地域情報記憶部と、
前記目詰まり検出部の出力及び前記地域情報記憶部からの情報に応じて前記巻き取り式フィルターを巻き取る時間を制御する制御部と、
前記制御部の出力に応じて前記巻き取り式フィルターを動作させる駆動部とから成り、
前記制御部は、前記巻き取り式フィルターを使用する地域情報及び前記巻き取り式フィルターの目詰まり具合から周囲環境の埃の量を推測し、前記巻き取り式フィルターを巻き取る時間およびスピードを制御することを特徴とする巻き取り式フィルターを有するプロジェクター。
【請求項６】
吸入した外気に含まれる埃を取るための巻き取り式フィルターと、
前記巻き取り式フィルターの種類を検出するフィルター検出部と、
前記巻き取り式フィルターの目詰まりを検出する目詰まり検出部と、
プロジェクターが設置される地域情報を格納する地域情報記憶部と、
前記フィルター検出部及び前記目詰まり検出部及び地域情報記憶部の出力に応じて巻き取る時間を制御する制御部と、
前記制御部の出力に応じて前記巻き取り式フィルターを動作させる駆動部とから成り、
前記制御部は、前記巻き取り式フィルターを使用する地域情報及び前記巻き取り式フィルターの種類及び前記巻き取り式フィルターの目詰まり具合から周囲環境の埃の量を推測し、前記巻き取り式フィルターを巻き取る時間およびスピードを制御することを特徴とする巻き取り式フィルターを有するプロジェクター。
【発明の詳細な説明】
【技術分野】
【０００１】
本発明は、外気を吸気して機器内部を冷却する際の防塵のためのフィルターを有するプロジェクターに関するものである。
【背景技術】
【０００２】
従来、プロジェクター内部には、光源であるランプ、液晶パネル、ＤＭＤ等のライトバルブ、プリズム、偏向板等、所望の性能を長期間維持するためには所定の温度範囲に保つことが求められるデバイスが多くあり、このための工夫も数多く行われている。
【０００３】
一般的には、外郭筐体に吸気口と排気口を具備し、それぞれにファンを配置して、外気を吸気用ファンによりプロジェクター内部に取り込み、各デバイスを冷却した後に、排気用ファンにより排気口より排出している。
【０００４】
しかしながら、吸入した外気に埃や塵が含まれていれば、ライトバルブやプリズム、偏向板等の光学系デバイスに付着することによって、プロジェクターの映像品質に悪影響を与え、長期間性能を維持することができなくなる。
【０００５】
このため、吸気口には取り込む外気の埃や塵を除去するためのフィルターが配置されており、所望の性能を維持するため、通常数十時間から数百時間の間で、ユーザーにこのフィルターを清掃もしくは交換することを推奨している。
【０００６】
また、最近では、ユーザーのフィルター交換の煩わしさを排除するため、特許文献１のように通常より長いフィルターを、一定時間毎に巻き取って、フィルター交換の回数を減らすというような巻き取り式エアーフィルター機構が提案されている。
【０００７】
特許文献１では、ロール状に巻いた長いエアーフィルターを使用することになるので、エアーフィルターの有効面積を増大でき空気濾過量が多くなり使用可能時間を長くすることができる。
【０００８】
また、装置周辺の塵埃量またはエアーフィルターの汚れを計測して巻き取り速度を可変にすることも可能としている。
【０００９】
従って、従来に比べて、エアーフィルターの清掃及び交換間隔を長くすることができる。
【特許文献１】特開平８−１２８４００号公報
【発明の開示】
【発明が解決しようとする課題】
【００１０】
上記のように、この巻き取り式のフィルターを有するプロジェクターは、一定時間経過毎にフィルターを巻き取るという制御、または、エアーフィルターの汚れを計測して巻き取り速度を可変にするという制御がなされている。
【００１１】
近年プロジェクターは、種々の地域で使用されてきており、その設置場所により、フィルターの種類を変更する必要がある。例えば、埃や塵が多い場所では、通常よりフィルターの目が細かい高密度タイプフィルターを配置するといったように、フィルターを使い分ける。このように、プロジェクターの使用環境下に応じて使い分ける事ができるように、フィルターにはいくつかの種類が存在している。
【００１２】
実際には、フィルターは、上記で記したようにプロジェクターの使用環境下に応じて種類を変えて使用するので、変更したフィルターに対して適した制御を行う必要がある。
【００１３】
しかし、従来制御では、フィルターの種類を変更しても常に同じ制御であり、変更したフィルターに対して最適な巻き取り制御となっていないという問題があった。
【００１４】
例えば、プロジェクターに配置するフィルターを、目の粗いフィルターから、目の細かいフィルターに変更した場合、目の粗いフィルターと同じ時間で巻き取っていては、目詰まりを起こす可能性がある。
【００１５】
また、装置周辺の塵埃量またはエアーフィルターの汚れを計測して巻き取り速度を可変にする場合は、同じ種類のフィルターであれば可能であるが、フィルターの種類が変われば、交換が必要な汚れの程度や、巻き取り速度も変わってくるため、この技術をそのまま適用することはできない。
【００１６】
本発明は、上記従来の課題を解決するもので、プロジェクターの使用環境下に応じた巻き取り式フィルターの制御を行い、使用環境が変化しても、種類の異なる巻き取り式フィルターを効率よく活用でき、プロジェクター内部を一定のクリーンな状態に保つことを可能とする巻き取り式フィルターを有するプロジェクターを提供することを目的とする。
【課題を解決するための手段】
【００１７】
上記課題を解決するために本発明のプロジェクターに使用する巻き取り式フィルターは、プロジェクターで使用する巻き取り式フィルターの種類の変更に伴って、その巻き取り式フィルターの種類に応じた巻き取り制御を行う。変更された巻き取り式フィルターの種類に応じてフィルターを巻き取る時間の間隔を変化させる。埃が多い地域では、高密度なフィルターを使用するので、フィルターを巻き取る時間の間隔を標準よりも短くするというような制御を行う。
【００１８】
また、目詰まりを起こしかけた場合は、その時間を計測しておき、その情報から、巻き取り制御の時間間隔を変更し直すといった過去の経緯を記憶する学習型の巻き取り制御を行う。
【００１９】
また、プロジェクターが設置される地域情報を格納することにより、それぞれの地域に合わせた巻き取り制御を行う。
【発明の効果】
【００２０】
本発明の巻き取り式フィルターを有するプロジェクターでは、プロジェクターの使用環境下に応じた巻き取り式フィルターの制御を行う事が可能となる。そして、その制御により、使用環境が変化しても、種類の異なるフィルターを効率よく活用でき、プロジェクター内部を一定のクリーンな状態に保つ事が可能となるため、従来制御に比べ、ランプ、ライトバルブやプリズム、偏向板等の光学系デバイスなどの性能を長期間維持することができ、プロジェクターの寿命を延ばす事が可能となる。
【発明を実施するための最良の形態】
【００２１】
以下本発明を実施するための最良の形態について、図面を参照しながら説明する。
【００２２】
（実施の形態１）
図１は本発明の実施の形態１の巻き取り式フィルターを有するプロジェクターの構成を示すブロック図である。
【００２３】
図において、１は巻き取り可能な巻き取り式フィルター、２はフィルター種類の情報や、目詰まり検出の情報から、フィルターを巻き取る時間を制御する制御部、３は制御部２からの出力情報に応じて巻き取り式フィルター１を動作させる駆動部、４は巻き取り式フィルター１の種類を検出するフィルター検出部、５は巻き取り式フィルター１の目詰まりを検出する目詰まり検出部である。
【００２４】
フィルター検出部４における巻き取り式フィルター１の種類を検出する方法は、例えば、フィルター装着口に巻き取り式フィルター１の種類を検出するスイッチを複数個並べて配置しておき、プロジェクターに巻き取り式フィルター１を装着する際にどの位置のスイッチが押されるかにより、巻き取り式フィルター１の種類を判別する。装着する巻き取り式フィルター１側は種類によって巻き取り式フィルター１のケースの一部を独自の形状とし、押すスイッチが変わるものとする。
【００２５】
また、光センサーによって、ケースの一部の形状を検出するようにしてもよい。
【００２６】
また、目詰まり検出部５の目詰まり検出方法は、例えば、温度センサーによってプロジェクター内部の温度状態を、もしくは気圧センサーによってプロジェクター内部の空気量の状態を検出し、その状態があらかじめ設定された値を超えていれば、巻き取り式フィルター１に目詰まりが起こる手前であると判断する。
【００２７】
上記、フィルター検出部４からのフィルター種類の情報により、制御部２で、巻き取り式フィルター１の種類に応じたフィルター巻き取り時間をセットする。巻き取り時間とは、巻き取り式フィルター１を巻き取る時間の間隔である。例えば、埃が多い地域では、高密度な巻き取り式フィルターを使用するので、巻き取り式フィルター１を巻き取る時間の間隔を標準よりも短い値にセットする。
【００２８】
このセットされた時間経過毎に、制御部２から、駆動部３に巻き取り式フィルター１の巻き取り命令を送信する。そのフィルター巻き取り命令により、駆動部３は、巻き取り式フィルター１のフィルターを一定量分巻き取る。
【００２９】
また、セットされた時間経過前に、目詰まり検出部５から、目詰まり情報が制御部２に伝えられると、フィルター検出部４からの情報によりセットされたフィルターの種類に応じたフィルター巻き取り時間が経過していなくても、制御部２から駆動部３へフィルター巻き取り命令を送信する。そのフィルター巻き取り命令により、駆動部３は、巻き取り式フィルター１のフィルターを一定量分巻き取る。その時、制御部２で時間カウントされていた値は、リセットされる。
【００３０】
そして、制御部２で目詰まり情報を受け取った時間を記憶しておき、その時間情報から、現在使用中の巻き取り式フィルター１を巻き取る時間間隔を、初期設定の時間から目詰まりを起こした時間に更新する。
【００３１】
そして、目詰まり情報により巻き取り制御の時間間隔を変更し直すといった学習型の巻き取り制御を行う。
【００３２】
なお、本実施の形態では、フィルター検出部４と目詰まり検出部５を設け、フィルターの種類と目詰まり情報とから巻き取り式フィルター１を巻き取る時間間隔を制御するようにしたが、図２のブロック図に示すように、フィルター検出部４のみを設け、フィルターの種類だけから巻き取り式フィルター１を巻き取る時間間隔を制御するようにしてもよい。
【００３３】
（実施の形態２）
図３は本発明の実施の形態２の巻き取り式フィルターを有するプロジェクターの構成を示すブロック図である。
【００３４】
図３において、実施の形態１の図１と同じ構成要素については同じ符号を用い、説明を省略する。実施の形態２は、実施の形態１の構成要素に、商品を出荷する地域情報を格納する地域情報記憶部６を追加している。
【００３５】
地域情報記憶部６からの情報により、制御部２に記憶されているフィルター種類毎のフィルター巻き取り時間情報を、商品を出荷する地域の値に変更する。つまり、プロジェクターを使用する地域により、空気中の埃や塵の多さが異なるため、その地域に適したフィルター巻き取り時間を設定する必要がある。
【００３６】
例えば、同タイプのフィルターであっても、埃や塵が多い地域では、埃や塵の少ない地域に比べて、フィルター巻き取り時間の間隔を短くした設定にする。また、この地域情報記憶部６の地域情報は、更新可能である。
【００３７】
これにより、実施の形態１よりも、さらにプロジェクターの使用環境下により適したフィルター制御を行う事が可能となる。
【００３８】
なお、本実施の形態では、フィルター検出部４と目詰まり検出部５に加え、地域情報記憶部６を設け、フィルターの種類と目詰まり情報と地域情報とから巻き取り式フィルター１を巻き取る時間間隔を制御するようにしたが、図４のブロック図に示すように、地域情報記憶部６のみを設け、地域情報だけから巻き取り式フィルター１を巻き取る時間間隔を制御するようにしてもよい。
【００３９】
また、図５のブロック図に示すように、フィルター検出部４と地域情報記憶部６を設け、フィルターの種類と地域情報から巻き取り式フィルター１を巻き取る時間間隔を制御するようにしてもよい。
【００４０】
また、図６のブロック図に示すように、目詰まり検出部５と地域情報記憶部６を設け、目詰まり情報と地域情報から巻き取り式フィルター１を巻き取る時間間隔を制御するようにしてもよい。
【００４１】
このように、フィルターの目詰まり情報だけでなく、フィルターの種類と地域情報を付加、または組み合わせることにより、プロジェクターが設置されるそれぞれの地域の環境に合わせて、有効な巻き取り式フィルターの巻き取り制御を行うことができる。
【産業上の利用可能性】
【００４２】
本発明にかかる巻き取り式フィルターを有するプロジェクターは、プロジェクターの使用環境下に応じたフィルターの制御を行い、その制御により、使用環境が変化しても、フィルターを最大限活用でき、プロジェクター内部を一定のクリーンな状態に保つ事が可能となるので、プロジェクター等の投写型画像表示装置として有用である。
【図面の簡単な説明】
【００４３】
【図１】本発明の実施の形態１の巻き取り式フィルター制御装置を示すブロック図
【図２】本発明の他の実施の形態の巻き取り式フィルター制御装置を示すブロック図
【図３】本発明の実施の形態２の巻き取り式フィルター制御装置を示すブロック図
【図４】本発明の他の実施の形態の巻き取り式フィルター制御装置を示すブロック図
【図５】本発明の他の実施の形態の巻き取り式フィルター制御装置を示すブロック図
【図６】本発明の他の実施の形態の巻き取り式フィルター制御装置を示すブロック図
【符号の説明】
【００４４】
１  巻き取り式フィルター
２  制御部
３  駆動部
４  フィルター検出部
５  目詰まり検出部
６  地域情報記憶部
【図１】
2008262035.tif 000003
【図２】
2008262035.tif 000004
【図３】
2008262035.tif 000005
【図４】
2008262035.tif 000006
【図５】
2008262035.tif 000007
【図６】
2008262035.tif 000008